(57)【特許請求の範囲】
【請求項１】
被検者が検査具を手に持って保持し、被検者の眼から所定の近距離だけ離して近距離視力表を提示し、該被検者が該近距離視力表の視標を視認できるか否かに基づき該被検者の視力を検査する近距離視力検査具であって、
中央縦折線を介して左右に開閉可能な扉表紙の内側に該近距離視力表が貼着され、該扉表紙の内側に、該近距離視力表から被検者の眼までの検査距離を確認するための検査距離確認用紐状体が付され、該検査距離確認用紐状体の先端に保持用のループが付されると共に、該検査距離確認用紐状体の先端から所定距離の位置に第二のループが付されていることを特徴とする近距離視力検査具。
【請求項２】
前記検査距離確認用紐状体には、近距離視力表からの距離を示すための目盛りが付されている請求項１記載の近距離視力検査具。
【請求項３】
前記近距離視力表は、写真用のポジフィルム上に複数の視標が露光と現像によって形成されている請求項１記載の近距離視力検査具。
【請求項４】
前記近距離視力表は、写真用のポジフィルム上に光学濃度の異なる複数の視標が露光と現像によって形成されている請求項１記載の近距離視力検査具。
【発明の詳細な説明】
【０００１】
【発明の属する技術分野】
本発明は、近視、遠視、老眼、弱視、白内障患者等、各種の被検者の視力を検査する際に好適な近距離視力検査具に関する。
【０００２】
【従来の技術】
近距離視力検査として、被検者自身に近距離視力表を持たせ、被検者の眼から３０ｃｍまたは５０ｃｍの距離に近距離視力表を位置させ、視力表に印刷された大きさの異なるランドルト環等の視標を、被検者が視認できるか否かにより視力を判定する視力検査が行われている。
【０００３】
この種の近距離視力検査に使用される視力表は、従来、基準となる視力値１．０の視標として、直径０．７５mm（検査距離５０ｃｍの場合）のランドルト環が印刷され、その下にそれより徐々に小径となる視力値１．２、１．５・・の視標が印刷され、さらにその上にそれより徐々に大径となる視力値０．９、０．８・・の視標が印刷されている。
【０００４】
【発明が解決しようとする課題】
近距離視力検査は、被検者自身がその近距離視力表を手に持って、その視標を見ながら検査するものであるが、被検者から視標までの距離は、３０ｃｍまたは５０ｃｍと、予め決められた距離を保持することが、正確な視力検査を行なうために重要である。しかしながら、被検者自身がその近距離視力表を手に持って、視力表の視標を見ながら検査するものであるため、被検者は、検査中に視標が見にくくなると、徐々に視力表を眼に近づけたり或は遠ざけたりして、検査距離が設定値からはずれてしまい、正確な視力検査ができにくくなる問題があった。
【０００５】
本発明は、上記の点に鑑みてなされたもので、被検者の眼と視力表間の距離を予め決められた距離に保持して、正確な視力検査を行なうことができる近距離視力検査具を提供することを目的する。
【０００６】
【課題を解決するための手段】
上記目的を達成するために、本発明の近距離視力検査具は、被検者が検査具を手に持って保持し、被検者の眼から所定の近距離だけ離して近距離視力表を提示し、被検者が近距離視力表の視標を視認できるか否かに基づき被検者の視力を検査する近距離視力検査具であって、中央縦折線を介して左右に開閉可能な扉表紙の内側に近距離視力表が貼着され、扉表紙の内側に、近距離視力表から被検者の眼までの検査距離を確認するための検査距離確認用紐状体が付され、検査距離確認用紐状体の先端に保持用のループが付されると共に、検査距離確認用紐状体の先端から所定距離の位置に第二のループが付されていることを特徴とする。
無地視標を表面に付着し
【０００７】
ここで、上記検査距離確認用紐状体には紐の表面に距離を示す目盛りを付して巻き尺のように形成することもできる。さらに、上記近距離視力表は、写真用のポジフィルム上に複数の視標を露光と現像によって形成することができる。また、その視標は光学濃度を相違して露光と現像によって形成することができる。
【０００８】
【作用】
このような近距離視力検査具は、近視、遠視、老眼、弱視、白内障患者等の被検者に対し例えば３０ｃｍまたは５０ｃｍ等の近距離での視力検査を行なう際に使用される。近距離視力表は中央縦折線を介して左右に開閉可能な扉表紙の内側に貼着されているため、検査する際には、被検者が自身で検査具を持ってその扉表紙を開き、その内側に付された検査距離確認用紐状体の先端を持って検査距離確認用紐状体を引っ張った状態で被検者の目の位置に合わせて、被検者の眼と視力表との距離を所定の近距離にセットする。
【０００９】
その後、検査人は被検者に視力表上の例えばランドルト環視標の開口方向を聞き、その回答に基づき、近距離視力を測定する。検査中、被検者が検査具を近づけたり離したりして、被検者の眼と近距離視力表との距離が変化した場合には、検査距離確認用紐状体を伸ばして、被検者の眼と近距離視力表との距離が正しい距離になるように検査具の位置を調整する。
【００１０】
このように、近距離視力表は扉表紙の内側に貼着され、扉表紙の内側には、近距離視力表から被検者までの検査距離を示すための検査距離確認用紐状体が付されているから、近距離視力表までの距離を簡単に正しくセットし、また検査中にて検査距離を簡単に確認して正しく調整することができる。
【００１１】
ところで、このような近距離視力検査具は、視標のコントラストを基準に視力値を決定するため、視力表に付される視標が所定の光学濃度を有したものとなることが重要である。例えば、視標を通常の印刷により形成した場合、その背景に対するコントラストが１の視標は濃厚な黒色インクを使用して比較的容易に印刷することができるが、低いコントラスト（光学濃度）の視標を印刷により形成する場合、所定の光学濃度を出すために印刷用インクを微妙に調合する必要があって、所定の光学濃度とコントラストの視標を正確に作成することが難しく、また、そのような視標を安定して印刷することができにくい。
【００１２】
さらに、コンピュータを用いた印刷機のように、視標をドットの集合体として印刷し、単位面積当りのドット数により視標の光学濃度を調整する方法もあるが、ドットの集合体で視標を印刷した場合、そのエッジ部にぎざぎざやぼけが発生して、精密な視標の形成が不可能となる。
【００１３】
これに対し、本発明の近距離視力検査具は、視力表に写真用のポジフィルムを使用し、そのポジフィルム上に複数の光学濃度の異なる視標を、視標像の露光と現像によって形成しており、視標の光学濃度は、視標像の露光時間により容易に調整することができる。また、写真のポジフィルムは、例えば、拡散ＲＭＳ粒状度が８であって、その解像度は低コントラストの場合、６３本／mm、高コントラストの場合、１２５本／mmと高い解像度を容易に実現することができる。従って、ぎざぎざやぼけのない精密なエッジを持った正確な視標を良好に形成することができる。
【００１４】
【発明の実施の形態】
以下、本発明の実施の形態を図面に基づいて説明する。図１は近距離視力検査具の斜視図を示し、図２はその分解図を示している。
【００１５】
この近距離視力検査具は、中央縦折線を介して左右に開閉可能な扉表紙７の内側に近距離視力表１を貼着して構成され、その近距離視力表１は、写真用のポジフィルム２上に視標４が露光と現像によって形成され、ポジフィルム２の裏面に裏シート３が貼り付けられて構成される。
【００１６】
このポジフィルムを用いて近距離視力表１は次のように製造される。先ず、視標データ作成工程で、視標データを作成する。この視標データの作成工程は、画像作成用のプログラムを内蔵したコンピュータを備えた装置例えばデジタルイメージレコーダーにより行なわれ、デジタルイメージレコーダーのコンピュータの画面上で、所定の形状で大きさが順に異なるランドルト環の各視標４を作成する。画面の背景は白色、視標４は黒色で作成する。コンピュータの画面上で視標を作成するため、その光学濃度（コントラスト）は任意に且つ簡単に調整することができる。各視標４は、大きさが順に異なるランドルト環視標からなり、切れ目の位置は相違して形成される。
【００１７】
次に、露光工程で、デジタルイメージレコーダーのコンピュータの画面上で作成された視標の画像、つまりＣＲＴ等の表示器に表示された視標の画像を、光学的に、ネガフィルム上に露光する。この露光工程はデジタルイメージレコーダーで行なうことができ、例えば、コンピュータの画面上で作成した視標の画像について、画面を形成するＣＲＴの電子ビームを光学的に拡大してネガフィルム上に露光して行なう。或は、コンピュータの画面上で作成した視標の画像について、ドット単位でネガフィルム上に露光して行なう。このようなドット単位でネガフィルム上に視標の画像を露光する場合、ネガフィルム上には、例えば1500dpi-3000dpi と非常の高い解像度で視標の画像を露光することができる。
【００１８】
ネガフィルム上に形成される視標の光学濃度（コントラスト）は、コンピュータの画面上で視標の画像を作成する段階で、任意の光学濃度に設定することができるが、ネガフィルムにその画像を露光する際、その露光時間を調整することにより、視標の光学濃度を調整することもできる。また、ここで使用するネガフィルムとしては、赤の感光域が長波長側に広がったパンクロマチックの感色性を持つ白黒のネガフィルムを使用することができる。
【００１９】
次に、ネガフィルムの現像工程に入り、上記のように視標の画像を露光したネガフィルムを、所定の現像液に所定時間浸漬して、現像する。なお、現像処理の時間を調整することによっても、視標の光学濃度（背景に対するコントラスト）を調整することができる。
【００２０】
次に、上記の現像工程で現像を終了したネガフィルムから、そのポジフィルムを作成する。このポジフィルムの作成工程は、上記のように視標の画像を露光し現像処理を施したネガフィルムに、例えば光を背後から照射して透過させ、それをレンズにより集光させることにより、ネガフィルム上の視標の画像を、ポジフィルム上に結像させ、ポジフィルムを露光することによって行なうことができる。ポジフィルムとしては、ポリエステルアセテートベースを使用し、極めて細かい粒子の乳剤をベースに塗布・形成した白黒フィルムを使用することができる。
【００２１】
そして、ポジフィルムの現像工程に入り、上記のように視標４の画像を露光したポジフィルムを、所定の現像液に所定時間浸漬して、現像する。上記と同様に、現像処理の時間を調整することによっても、視標の光学濃度（背景に対するコントラスト）を調整することができる。
【００２２】
上記のような視標４を形成したポジフィルム２の背面に、白色の裏シート３が貼り付けられて、近距離視力表１が形成される。裏シート３には白色の紙や白色プラスチックシートを使用することができる。そして、図２に示すように、近距離視力表１は、扉表紙７の内側に貼着される。扉表紙７は厚紙等を矩形に裁断し、その中央に縦折線を入れ、その縦折線を介して左右に開閉可能な表紙として形成される。その扉表紙７の内側に近距離視力表１が貼着され、その上から矩形で枠状のカバー枠９が貼り付けられ、近距離視力表１の周縁部がカバーされる。
【００２３】
このとき、カバー枠９の上部に孔が穿設されて、その孔に検査距離確認用紐状体８が挿通され、検査距離確認用紐状体８の元部が扉表紙７とカバー枠９の間に接着される。検査距離確認用紐状体８は引っ張った状態で、その先端までの長さが、例えば３０ｃｍまたは５０ｃｍの所定の距離になるように設定される。また、先端には検査人の指や支持棒等の先端で引っ掛けて保持し易いように、ループ８ａが設けられる。
【００２４】
このような近距離視力検査具は、近視、遠視、老眼、弱視、白内障患者等の被検者に対し３０〜５０ｃｍの近距離での視力検査を行なう際に使用される。
【００２５】
この近距離視力検査具は、図４に示すように、近距離視力表１が中央縦折線を介して左右に開閉可能な扉表紙７の内側に貼着されているので、検査する際には、被検者がこの扉表紙７を開いて持ち、検査人が、その内側に付された検査距離確認用紐状体８の先端を持って、紐状体８を引っ張った状態で被検者の目の位置に合わせて、被検者の眼と視力表１との距離を所定（３０ｃｍまたは５０ｃｍ）の近距離にセットする。
【００２６】
このとき、検査距離確認用紐状体８の先端にはループ８ａが設けてあるため、検査人は保持棒や筆記具等の先端にこのループ８ａを掛けて紐状体８を被検者の眼の位置まで伸ばし、被検者の眼の周囲等に触れずに、視力表１と眼の距離を所定距離にセットすることができる。
【００２７】
そして、この状態で、検査人は被検者に視力表１上のランドルト環視標の開口方向を聞き、その回答に基づき、近距離視力を測定する。このような近距離視力検査では、被検者自身がその近距離視力表を手に持って、視力表の視標を見ながら検査するため、被検者は、検査中に視標が見にくくなると、徐々に視力表を眼に近づけたり或は遠ざけたりして、検査距離が設定値からは外れることがあるが、その場合には、検査人は、再度、検査距離確認用紐状体８の先端を持って、紐状体８を引っ張った状態で被検者の目の位置に合わせ、視力表から眼の距離を正確な位置に戻り、正確な視力検査を行なうことができる。
【００２８】
図５〜図７は他の実施例の近距離視力検査具を示している。この近距離視力検査具は、上記と同様に、中央縦折線を介して左右に開閉可能な扉表紙７の内側に近距離視力表１１を貼着して構成され、近距離視力表１１は、図７に示す如く、写真用のポジフィルム１２上に３種類のコントラストの異なる視標１４、１５、１６が露光と現像によって形成され、ポジフィルム１２の裏面に裏シート３が貼り付けられて構成される。
【００２９】
３種類の視標１４、１５、１６は、各々複数の大きさのランドルト環視標から構成され、切れ目の位置（開口方向）は相違して形成されている。さらに、３種類の視標１４、１５、１６はその光学濃度が相違して作成され、背景に対する各視標のコントラストは、視標１４が１（100%）に、視標１５が１／４（25% ）に、視標１６が１／１６（約6%）に設定されている。
【００３０】
視標の背景に対するコントラストＣは、正確には、視標と背景の輝度を測定し、視標の輝度をＬ、背景の輝度Ｌ0 とした場合、Ｃ＝（Ｌ0 −Ｌ）／（Ｌ0 ＋Ｌ）の式から算出する。なお、コントラスト１（100%）は視標の輝度Ｌがゼロで、背景の輝度Ｌ0 が所定値の場合であるが、実質的には視標の輝度Ｌをゼロにすることは困難であるから、数値にある程度の幅を持たせ、実測値のコントラスト１〜０．９（100%から90% ）をコントラスト１（100%）とみなしている。
【００３１】
このポジフィルムを用いて近距離視力表１は次のように製造される。先ず、視標データ作成工程で、視標データを作成する。この視標データの作成工程は、画像作成用のプログラムを内蔵したコンピュータを備えた装置例えばデジタルイメージレコーダーにより行なわれ、デジタルイメージレコーダーのコンピュータの画面上で、所定の形状で大きさが順に異なるランドルト環の各視標１４、１５、１６を作成する。画面の背景は白色、視標１４は黒色、視標１５は暗い灰色、視標１６は明るい灰色で作成する。コンピュータの画面上で視標を作成するため、その光学濃度（コントラスト）は任意に且つ簡単に調整することができる。
【００３２】
例えば、黒色の視標１４は、コントラスト１〜０．９（100%から90% ）に調整し、暗い灰色の視標１５は、コントラスト１／４（25% ）に調整し、明るい灰色の視標１６は、コントラスト１／１６（約6%）に調整する。コントラストＣは、上述のように、視標の背景に対するコントラストであり、視標と背景の輝度を測定し、視標の輝度をＬ、背景の輝度Ｌ0 とした場合、Ｃ＝（Ｌ0 −Ｌ）／（Ｌ0 ＋Ｌ）の式から算出する。各視標１４〜６は、大きさが順に異なるランドルト環視標からなり、切れ目の位置は相違して形成される。
【００３３】
次に、露光工程で、デジタルイメージレコーダーのコンピュータの画面上で作成された視標の画像、つまりＣＲＴ等の表示器に表示された視標の画像を、光学的に、ネガフィルム上に露光する。この露光工程はデジタルイメージレコーダーで行なうことができ、例えば、コンピュータの画面上で作成した視標の画像について、画面を形成するＣＲＴの電子ビームを光学的に拡大してネガフィルム上に露光して行なう。或は、コンピュータの画面上で作成した視標の画像について、ドット単位でネガフィルム上に露光して行なう。このようなドット単位でネガフィルム上に視標の画像を露光する場合、ネガフィルム上には、例えば1500dpi-3000dpi と非常の高い解像度で視標の画像を露光することができる。
【００３４】
ネガフィルム上に形成される視標の光学濃度（コントラスト）は、コンピュータの画面上で視標の画像を作成する段階で、任意の光学濃度に設定することができるが、ネガフィルムにその画像を露光する際、その露光時間を調整することにより、視標の光学濃度を調整することもできる。また、ここで使用するネガフィルムとしては、赤の感光域が長波長側に広がったパンクロマチックの感色性を持つ白黒のネガフィルムを使用することができる。
【００３５】
次に、ネガフィルムの現像工程に入り、上記のように視標の画像を露光したネガフィルムを、所定の現像液に所定時間浸漬して、現像する。なお、現像処理の時間を調整することによっても、視標の光学濃度（背景に対するコントラスト）を調整することができる。
【００３６】
次に、上記の現像工程で現像を終了したネガフィルムから、そのポジフィルムを作成する。このポジフィルムの作成工程は、上記のように視標の画像を露光し現像処理を施したネガフィルムに、例えば光を背後から照射して透過させ、それをレンズにより集光させることにより、ネガフィルム上の視標の画像を、ポジフィルム上に結像させ、ポジフィルムを露光することによって行なうことができる。ポジフィルムとしては、ポリエステルアセテートベースを使用し、極めて細かい粒子の乳剤をベースに塗布・形成した白黒フィルムを使用することができる。なお、ポジフィルムにその画像を露光する際、その露光量または露光時間を調整することにより、視標の光学濃度（コントラスト）を調整することが可能である。
【００３７】
そして、ポジフィルムの現像工程に入り、上記のように視標１４〜１６の画像を露光したポジフィルムを、所定の現像液に所定時間浸漬して、現像する。上記と同様に、現像処理の時間を調整することによっても、視標の光学濃度（背景に対するコントラスト）を調整することができる。
【００３８】
このようにして現像されたポジフィルム１２上には、図７に示すように、大きさが順に異なり、各々の光学濃度（背景に対するコントラスト）を持つ３種類の視標、つまりコントラスト１〜０．９（100%から90% ）の視標１４、コントラスト１／４（25% ）の視標１５、及びコントラスト１／１６（約6%）の視標１６が形成される。実際には、コントラスト１〜０．９（100%から90% ）の視標１４は、光学濃度を最も高くした画像を形成するようにすれば、比較的容易に形成できる。
【００３９】
一方、コントラスト１／４（25% ）の視標１５、及びコントラスト１／１６（約6%）の視標１６については、試作視標の試作とそのコントラストの測定及びそれに基づく視標画像の濃度の調整により、比較的容易に形成することができる。
【００４０】
即ち、先ず、デジタルイメージレコーダーのコンピュータの画面上で、光学濃度（コントラスト）が段階的に異なる複数の試作視標を作成しておき、それらの試作視標を、例えば１０Ｌｕｘで２０秒の露光を行ない、それを現像して作成したポジフィルムの試作視標のコントラストを、輝度計を用いて測定する。そして、その測定結果に基づき、デジタルイメージレコーダーのコンピュータの画面上で、得ようとするコントラストに近い試作視標を選択し、その試作視標の画像の光学濃度（コントラスト）をさらに微妙に調整することにより、コントラスト１／４（25% ）の視標１５、及びコントラスト１／１６（約6%）の視標１６は、比較的容易に且つ正確に設定することができる。なお、各大きさの視標１４、１５、１６の横にはその視標番号１〜１３が付され、検査の際に視標の特定を行う時に便利なようにしている。
【００４１】
上記のような視標１４〜１６を付したポジフィルム１２の背面に、白色の裏シート３が貼り付けられて、近距離視力表１１が形成される。裏シート３には白色の紙や白色プラスチックシートを使用することができる。そして、図６に示すように、近距離視力表１１は、扉表紙７の内側に貼着される。扉表紙７は上記と同様に厚紙等を矩形に裁断し、その中央に縦折線を入れ、その縦折線を介して左右に開閉可能な表紙として形成される。その扉表紙７の内側に近距離視力表１１が貼着され、その上から矩形で枠状のカバー枠９が貼り付けられ、近距離視力表１１の周縁部がカバーされる。
【００４２】
このとき、上記と同様に、カバー枠９の上部に孔が穿設されて、その孔に検査距離確認用紐状体８が挿通され、検査距離確認用紐状体８の元部が扉表紙７とカバー枠９の間に接着される。検査距離確認用紐状体８は引っ張った状態で、その先端までの長さが、例えば３０ｃｍまたは５０ｃｍの所定の距離になるように設定される。また、先端には検査人の指や支持棒等の先端で引っ掛けて保持し易いように、ループ８ａが設けられる。
【００４３】
このような近距離視力検査具は、弱視、白内障患者等の被検者に対し３０ｃｍまたは５０ｃｍの近距離での視力検査を行なう際に使用される。近距離視力表１１は中央縦折線を介して左右に開閉可能な扉表紙の内側に貼着されているので、検査する際には、机などの上で検査具の扉表紙７を開き、その内側に付された検査距離確認用紐状体８の先端を持って検査距離確認用紐状体８を引っ張った状態で被検者の目の位置に合わせて、被検者の眼と視力表１１との距離を所定（３０ｃｍまたは５０ｃｍ）の近距離にセットする。
【００４４】
このとき、検査距離確認用紐状体８の先端にはループ８ａが設けてあるため、検査人は保持棒や筆記具等の先端にこのループ８ａを掛けて紐状体８を被検者の眼の位置まで伸ばし、被検者の眼の周囲等に触れずに、視力表１と眼の距離を所定距離にセットすることができる。その状態で、検査人は被検者に視力表１１上のランドルト環視標の開口方向を聞き、その回答に基づき、近距離視力を測定する。
【００４５】
このように、近距離視力表１１は扉表紙７の内側に貼着され、扉表紙７の内側には、近距離視力表１１から被検者までの検査距離を示すための検査距離確認用紐状体８が付されているから、検査人は、近距離視力表１１までの距離を簡単に正しくセットして検査することができる。
【００４６】
また、近距離視力表１１上の視標は、基準となる光学濃度が高くコントラストが高い視標の他に、光学濃度が中程度でコントラストが中程度の視標、及び光学濃度が低くコントラストの低い視標を提示して、その視標を視認可能か否かにより視力検査を行ない、視標の大きさと共に背景に対するコントラストを基準に加えて視力値を決定するため、視力の弱い白内障患者等の視力検査を正確に行なうことができる。
【００４７】
なお、上記実施例では、視標としてランドルト環視標を使用したが、その他の文字視標等を使用することもできる。また、視標の表示の仕方には、小数方式、分数方式、或はＬｏｇＭＡＲ方式を使用することができる。
【００４８】
更に、図８のように、先端にループ１８ａを設けた検査距離確認用紐状体１８の先端から所定距離の位置に、第二のループ１８ｂを設けることもできる。この場合、ループ１８ａまでの長さを５０ｃｍとすると、視力表１から例えば３０ｃｍの箇所に第二のループ１８ｂを設けておくことにより、３０ｃｍの検査距離でも使用可能にすることができる。
【００４９】
【発明の効果】
以上説明したように、本発明の近距離視力検査具によれば、中央縦折線を介して左右に開閉可能な扉表紙の内側に近距離視力表が貼着され、扉表紙の内側には、近距離視力表から被検者までの検査距離を示すための検査距離確認用紐状体が付されているから、検査人或は被検者は近距離視力表までの距離を簡単に正しくセットして検査することができる。また、検査距離確認用紐状体の先端にはループが設けてあるため、検査人は保持棒や筆記具等の先端にこのループを掛けて紐状体を被検者の眼の位置まで伸ばし、被検者の眼の周囲等に直接触れずに、視力表と眼の距離を所定距離にセットすることができる。
【図面の簡単な説明】
【図１】本発明の一実施形態を示す近距離視力検査具の正面斜視図である。
【図２】同近距離視力検査具の分解斜視図である。
【図３】近距離視力表１の正面図である。
【図４】近距離視力検査具の使用状態を示す説明図である。
【図５】他の実施形態を示す近距離視力検査具の正面斜視図である。
【図６】同近距離視力検査具の分解斜視図である。
【図７】同検査具の近距離視力表１１の正面図である。
【図８】他の実施例の近距離視力検査具の正面斜視図である。
【符号の説明】
１−近距離視力表
２−ポジフィルム
３−裏シート
４、５、６−視標
７−扉表紙
８−検査距離確認用紐状体
８ａ−ループ
【図１】
0003639951.tif 000002
【図２】
0003639951.tif 000003
【図３】
0003639951.tif 000004
【図４】
0003639951.tif 000005
【図５】
0003639951.tif 000006
【図６】
0003639951.tif 000007
【図７】
0003639951.tif 000008
【図８】
0003639951.tif 000009